(57)【要約】【課題】ビル内に設置された複数の機器のうち、互いに関連し、異なる運転スケジュールで稼働する複数の機器についての運転スケジュールを一元管理するビル管理装置を提供する。【解決手段】関連する複数の機器（２）単位で、基準スケジュールと、当該基準スケジュールに基づき稼働する複数の機器（２）と、当該基準スケジュールに対する、複数の機器（２）毎のオフセット時間とが対応付けられたスケジュール情報に基づき、基準スケジュールにオフセット時間を加算または減算することで、複数の機器（２）毎の運転スケジュールを設定する運転スケジュール設定部（１１）と、運転スケジュールに基づき、複数の機器（２）の運転を制御する運転制御部（１２）と、スケジュール情報の変更指示を受け付ける受付部（１４）と、変更指示に基づき、スケジュール情報を変更する変更反映部（１５）とを備えた。【選択図】図１
2020071762.tif 000002
【特許請求の範囲】
【請求項１】
関連する複数の機器単位で、基準スケジュールと、当該基準スケジュールに基づき稼働する前記複数の機器と、当該基準スケジュールに対する、前記複数の機器毎のオフセット時間とが対応付けられたスケジュール情報に基づき、前記基準スケジュールに前記オフセット時間を加算または減算することで、前記複数の機器毎の運転スケジュールを設定する運転スケジュール設定部と、
前記運転スケジュール設定部が設定した運転スケジュールに基づき、前記複数の機器の運転を制御する運転制御部と、
前記スケジュール情報の変更指示を受け付ける受付部と、
前記受付部が前記変更指示を受け付けた場合、当該変更指示に基づき、前記スケジュール情報を変更する変更反映部
とを備えたビル管理装置。
【請求項２】
前記受付部は、前記スケジュール情報にて定義されている前記基準スケジュールの変更指示を受け付け、
前記変更反映部は、前記基準スケジュールの変更指示に基づき、前記基準スケジュールを変更する
ことを特徴とする請求項１記載のビル管理装置。
【請求項３】
前記受付部は、前記スケジュール情報にて定義されている前記オフセット時間の変更指示を受け付け、
前記変更反映部は、前記オフセット時間の変更指示に基づき、前記オフセット時間を変更する
ことを特徴とする請求項１または請求項２記載のビル管理装置。
【請求項４】
前記オフセット時間には、前記基準スケジュールにおける運転開始時刻に対する第１のオフセット時間と、前記基準スケジュールにおける運転終了時刻に対する第２のオフセット時間が含まれ、
前記運転スケジュール設定部は、
前記基準スケジュールにおける運転開始時刻に、前記第１のオフセット時間を加算または減算し、前記基準スケジュールにおける運転終了時刻に、前記第２のオフセット時間を加算または減算することで、前記複数の機器毎の運転スケジュールを設定する
ことを特徴とする請求項１から請求項３のうちのいずれか１項記載のビル管理装置。
【請求項５】
前記複数の機器には照明が含まれる
ことを特徴とする請求項１から請求項４のうちのいずれか１項記載のビル管理装置。
【請求項６】
前記複数の機器には空調機が含まれる
ことを特徴とする請求項１から請求項５のうちのいずれか１項記載のビル管理装置。
【請求項７】
前記複数の機器には排気バルブが含まれる
ことを特徴とする請求項１から請求項６のうちのいずれか１項記載のビル管理装置。
【請求項８】
前記複数の機器にはセキュリティ装置が含まれる
ことを特徴とする請求項１から請求項７のうちのいずれか１項記載のビル管理装置。
【請求項９】
前記運転スケジュール設定部が設定した運転スケジュールに、重複する複数の稼働期間が存在すると判断した場合、前記運転スケジュール設定部が設定した運転スケジュールを、前記重複する複数の稼働期間が存在しない運転スケジュールに再設定する判断部を備えた
ことを特徴とする請求項１から請求項８のうちのいずれか１項記載のビル管理装置。
【請求項１０】
運転スケジュール設定部が、関連する複数の機器単位で、基準スケジュールと、当該基準スケジュールに基づき稼働する前記複数の機器と、当該基準スケジュールに対する、前記複数の機器毎のオフセット時間とが対応付けられたスケジュール情報に基づき、前記基準スケジュールに前記オフセット時間を加算または減算することで、前記複数の機器毎の運転スケジュールを設定するステップと、
運転制御部が、前記運転スケジュール設定部が設定した運転スケジュールに基づき、前記複数の機器の運転を制御するステップと、
受付部が、前記スケジュール情報の変更指示を受け付けるステップと、
変更反映部が、前記受付部が前記変更指示を受け付けた場合、当該変更指示に基づき、前記スケジュール情報を変更するステップ
とを備えたビル管理方法。
【発明の詳細な説明】
【技術分野】
【０００１】
この発明は、ビル内に設置されている機器の管理を行うビル管理装置、および、ビル管理方法に関するものである。
【背景技術】
【０００２】
従来、ビル内に設置されている複数の機器を管理するにあたり、当該複数の機器に対して、それぞれ、異なる運転スケジュールを設定する技術が知られている。
例えば、特許文献１では、複数の空調設備のそれぞれについて異なる、予備運転スケジュールとしての運転スケジュールを生成する空調運転管理装置が開示されている。
【先行技術文献】
【特許文献】
【０００３】
【特許文献１】特開２０１６−４４８５５号公報
【発明の概要】
【発明が解決しようとする課題】
【０００４】
特許文献１に開示されているような空調運転管理装置の技術に代表される従来技術では、複数の機器に対して、それぞれ、異なる運転スケジュールを生成することができるが、当該複数の機器の関連性については考慮されていない。
そのため、関連する複数の機器が異なる運転スケジュールで稼働する場合、当該異なる運転スケジュールを別々に管理する必要がある。そうすると、例えば、関連する複数の機器のうちのある機器に対して運転スケジュールの変更が発生した場合には、管理者が、関連する複数の機器の異なる運転スケジュールをそれぞれ変更しなければならず、手間がかかるという課題があった。その結果、変更すべき運転スケジュールの変更漏れが発生するというおそれもある。
【０００５】
この発明は、上記のような課題を解決するためになされたもので、ビル内に設置された複数の機器のうち、互いに関連し、異なる運転スケジュールで稼働する複数の機器についての運転スケジュールを一元管理することができるビル管理装置を提供することを目的とする。
【課題を解決するための手段】
【０００６】
この発明に係るビル管理装置は、関連する複数の機器単位で、基準スケジュールと、当該基準スケジュールに基づき稼働する複数の機器と、当該基準スケジュールに対する、複数の機器毎のオフセット時間とが対応付けられたスケジュール情報に基づき、基準スケジュールにオフセット時間を加算または減算することで、複数の機器毎の運転スケジュールを設定する運転スケジュール設定部と、運転スケジュール設定部が設定した運転スケジュールに基づき、複数の機器の運転を制御する運転制御部と、スケジュール情報の変更指示を受け付ける受付部と、受付部が変更指示を受け付けた場合、当該変更指示に基づき、スケジュール情報を変更する変更反映部とを備えたことを特徴とするものである。
【発明の効果】
【０００７】
この発明によれば、ビル内に設置された複数の機器のうち、互いに関連し異なる運転スケジュールで稼働する複数の機器についての運転スケジュールを一元管理することができる。
【図面の簡単な説明】
【０００８】
【図１】実施の形態１に係るビル管理装置の構成例を示す図である。
【図２】実施の形態１において、スケジュール情報記憶部に記憶されているスケジュール情報の内容の一例を示す図である。
【図３】実施の形態１に係るビル管理装置の動作について説明するためのフローチャートである。
【図４】実施の形態１において、スケジュール情報記憶部に記憶されているスケジュール情報の内容のその他の一例を示す図である。
【図５】実施の形態１において、重複した複数の稼働期間が存在する運転スケジュールが設定された場合に運転スケジュールを再設定するようにする構成とした場合の、ビル管理装置の構成例を示す図である。
【図６】実施の形態１に係るビル管理装置において、判断部が、運転スケジュール設定部が設定した運転スケジュールを再設定するようにした動作を説明するためのフローチャートである。
【図７】実施の形態１において、スケジュール情報記憶部に記憶されているスケジュール情報の内容のその他の一例を示す図である。
【図８】実施の形態１において、運転スケジュール設定部が、図７のようなスケジュール情報に基づき設定した、照明、空調機、排気バルブ、および、セキュリティ装置の運転スケジュールをイメージとして示す図である。
【図９】実施の形態１において、判断部が、運転スケジュール設定部が図８のように設定した、照明、空調機、排気バルブ、および、セキュリティ装置の運転スケジュールのうち、重複期間が存在すると判断したセキュリティ装置の運転スケジュールについて、基準スケジュールに書き換えることで運転スケジュールの再設定を行ったイメージを示す図である。
【発明を実施するための形態】
【０００９】
以下、この発明の実施の形態について図面を参照しながら詳細に説明する。
実施の形態１．
図１は、実施の形態１に係るビル管理装置１の構成例を示す図である。
実施の形態１に係るビル管理装置１は、例えば、管理者がビルの管理作業を行う管理室に設置されるＰＣ（Ｐｅｒｓｏｎａｌ  Ｃｏｍｐｕｔｅｒ）である。
ビル管理装置１は、ビル内に設置されている複数の機器２の管理を行う。実施の形態１において、ビル管理装置１が行う、ビル内の機器２の管理とは、当該機器２の運転スケジュールを管理し、当該運転スケジュールに従って当該機器２を稼働させることをいう。
ビル管理装置１と、ビル内に設置されている複数の機器２とは、ネットワークを介して接続されている。
【００１０】
なお、図１では、説明の簡単のため、機器２は１つのみ示すようにしているが、ビル管理装置１には、複数の機器２が接続される。機器２とは、空調機、照明、排気バルブ、または、セキュリティ装置等、ビル内に設置され、ビル管理装置１によって管理が行われる対象となり得るあらゆる機器を含む。以下の説明において、ビル内に設置されている複数の機器２を、単に機器２ともいうものとする。
また、ビル管理装置１は、ディスプレイ等の表示装置３と接続される。
【００１１】
ビル管理装置１は、運転スケジュール設定部１１、運転制御部１２、スケジュール情報記憶部１３、受付部１４、および、変更反映部１５を備える。
ビル管理装置１は、ソフトウェアに基づくＣＰＵを用いたプログラム処理によって実行される。
【００１２】
運転スケジュール設定部１１は、スケジュール情報記憶部１３に記憶されているスケジュール情報に基づき、機器２を稼働させる運転スケジュールを設定する。
ここで、図２は、実施の形態１において、スケジュール情報記憶部１３に記憶されているスケジュール情報の内容の一例を示す図である。
スケジュール情報は、関連する機器２単位で、基準スケジュールと、当該基準スケジュールに基づき稼働する機器２と、機器２毎のオフセット時間とが対応付けられた情報である。オフセット時間は、基準スケジュールからみた起動オフセット時間（第１のオフセット時間）および停止オフセット時間（第２のオフセット時間）を含む。
なお、図２では、一例として、関連する機器２を１つのグループとし、グループ番号を付与するものとしている。
実施の形態１において、関連する機器２とは、互いに連動して稼働させる対象となる複数の機器２をいう。関連する機器２のグループにおいて、ある機器２の運転スケジュールに変更があった場合には、同一グループに属する他の機器２の運転スケジュールも、基準スケジュールを基準として、同様に変更される。
図２の例でいうと、ＸＸ株式会社において、照明５−１〜照明５−４、東側空調機、西側空調機、排気バルブ、および、セキュリティ装置が、関連する機器２のグループに設定されている。
【００１３】
基準スケジュールは、上述のとおり、関連する機器２のグループ単位で１つ、定義される。基準スケジュールとは、機器２の運転スケジュールを設定する際に基準となるスケジュールである。基準スケジュールは、関連する機器２の用途等にあわせて、管理者が適宜設定する。実施の形態１では、図２に示すように、基準スケジュールは、一日単位で定義されるものとし、基準スケジュールに基づき設定される運転スケジュールは、日毎の運転スケジュールであるものとする。
【００１４】
また、管理者は、基準スケジュールからみた起動オフセット時間および停止オフセット時間を、適宜設定する。
起動オフセット時間は、機器２の運転開始時刻を、基準スケジュールで設定されている運転開始時刻からどれぐらいずらすかを定義した時間である。実施の形態１では、起動オフセット時間は、分単位で設定され、マイナス方向またはプラス方向に設定可能である。マイナスの起動オフセット時間は、機器２の運転開始時刻を、基準スケジュールの運転開始時刻から起動オフセット時間分だけ早める方向にずらすことを意味し、プラスの起動オフセット時間は、機器２の運転開始時刻を、基準スケジュールの運転開始時刻から起動オフセット時間分だけ遅らせる方向にずらすことを意味する。
また、停止オフセット時間は、機器２の運転停止時刻を、基準スケジュールで設定されている運転停止時刻からどれぐらいずらすかを定義した時間である。実施の形態１では、停止オフセット時間は、分単位で設定され、マイナス方向またはプラス方向に設定可能である。マイナスの停止オフセット時間は、機器２の運転停止時刻を、基準スケジュールの運転停止時刻から停止オフセット時間分だけ早める方向にずらすことを意味し、プラスの停止オフセット時間は、機器２の運転停止時刻を、基準スケジュールの運転停止時刻から停止オフセット時間分だけ遅らせる方向にずらすことを意味する。
以下の説明において、起動オフセット時間および停止オフセット時間をまとめて、単にオフセット時間とも言うものとする。
【００１５】
運転スケジュール設定部１１は、スケジュール情報にて定義されている基準スケジュールに、当該基準スケジュールに対する機器２毎のオフセット時間を加算または減算することで、機器２毎の運転スケジュールを設定する。
具体的には、運転スケジュール設定部１１は、基準スケジュールの運転開始時刻に、スケジュール情報にて設定されている起動オフセット時間を加算または減算し、基準スケジュールの運転停止時刻に、停止オフセット時間を加算または減算することで、機器２毎の運転スケジュールを設定する。
例えば、図２によると、ＸＸ株式会社において、照明５−１〜照明５−４は、いずれも、起動オフセット時間および停止オフセット時間が±０分であるため、運転スケジュール設定部１１は、基準スケジュールと同じ「９：００〜１８：００」を、当該照明５−１〜照明５−４の運転スケジュールに設定する。
例えば、ＸＸ株式会社の就業時間を９：００〜１８：００とすると、管理者は、ＸＸ株式会社において、基本的に、就業時間中に機器２を稼働させるものとし、予め、就業時間を基準スケジュールとしてスケジュール情報に定義する。また、照明（照明５−１〜照明５−４）は就業時間中に点灯させるものとすると、管理者は、予め、当該照明の運転スケジュールを基準スケジュールとしてスケジュール情報を設定しておく。すなわち、照明の運転スケジュールは基準スケジュールと同じであるため、管理者は、照明の運転スケジュールの起動オフセット時間および停止オフセット時間を、±０分とする。その結果、上述のとおり、運転スケジュール設定部１１は、照明５−１〜照明５−４の運転スケジュールを、「９：００〜１８：００」に設定する。
【００１６】
また、東側空調機および西側空調機は、いずれも、起動オフセット時間が−３０分であるため、運転スケジュール設定部１１は、基準スケジュールの運転開始時刻９：００から３０分減算し、８：３０を、東側空調機および西側空調機の運転開始時刻に設定する。また、東側空調機および西側空調機は、いずれも、停止オフセット時間が−１５分であるため、運転スケジュール設定部１１は、基準スケジュールの運転停止時刻１８：００から１５分減算し、１７：４５を、東側空調機および西側空調機の運転停止時刻に設定する。その結果、東側空調機および西側空調機の運転スケジュールは、「８：３０〜１７：４５」となる。
空調機（東側空調機および西側空調機）も、本来、照明と同じ運転スケジュールで、就業時間に稼働させるべきである。しかし、ＸＸ株式会社では、例えば、管理者は、部屋の快適性の観点から、空調機の稼働開始を照明よりも３０分早くし、省エネの観点から、当該空調機の停止を照明よりも１５分早くしたいとする。この場合、管理者は、図２に示すように、空調機に対し、３０分の起動オフセット時間と、１５分の停止オフセット時間とを定義する。このようにすることで、空調機の運転スケジュールを、照明の運転スケジュールを基準として、当該照明の運転スケジュールとは設定されたオフセット時間の分だけずらすようにすることができる。
【００１７】
東側空調機および西側空調機と同様、排気バルブは、起動オフセット時間が−３０分であり、停止オフセット時間が−１５分であるため、運転スケジュール設定部１１は、基準スケジュールに基づき、当該排気バルブの運転スケジュールに、「８：３０〜１７：４５」を設定することになる。
また、セキュリティ装置は、起動オフセット時間が−４５分であり、停止オフセット時間が＋４５分であるため、運転スケジュール設定部１１は、基準スケジュールに基づき、当該セキュリティ装置の運転スケジュールに、「８：１５〜１８：４５」を設定することになる。例えば、ＸＸ株式会社では、管理者は、従業員が就業時間前に出社すること、または、従業員が就業時間後もすぐに退社しないことを想定し、セキュリティ装置の運転開始が就業時間よりも早く、かつ、運転停止が就業時間よりも遅くなるよう、セキュリティ装置の、基準スケジュールに対する起動オフセット時間および停止オフセット時間を定義する。
【００１８】
このように、管理者は、基準スケジュールに対する起動オフセット時間および停止オフセット時間を定義しておくことで、関連する機器２を、当該基準スケジュールを基準として一元管理することができる。
【００１９】
運転スケジュール設定部１１は、設定した運転スケジュールの情報を、運転制御部１２に出力する。
【００２０】
図１の説明に戻る。
運転制御部１２は、運転スケジュール設定部１１が設定した運転スケジュールに基づき、機器２の運転を制御する。すなわち、運転制御部１２は、運転スケジュール設定部１１が設定した運転スケジュールに従って、機器２を稼働させる。具体的には、運転制御部１２は、運転スケジュールに設定されている運転開始時刻になると機器２の運転を開始させ、運転スケジュールに設定されている運転停止時刻になると機器２の運転を停止させる。
【００２１】
スケジュール情報記憶部１３は、図２で一例を示したようなスケジュール情報を記憶する。
なお、実施の形態１では、図１に示すように、スケジュール情報記憶部１３は、ビル管理装置１に備えられるものとするが、これは一例に過ぎず、スケジュール情報記憶部１３は、ビル管理装置１の外部の、運転スケジュール設定部１１および変更反映部１５が参照可能な場所に備えられるものとしてもよい。
【００２２】
受付部１４は、管理者が入力した、基準スケジュールの変更指示を受け付ける。
管理者は、例えば、マウスまたはキーボード等の入力装置（図示省略）を操作して、基準スケジュール変更画面の呼出指示を入力する。受付部１４は、当該呼出指示を受け付けると、ビル管理装置１が備える表示制御部（図示省略）に当該呼出指示を出力する。表示制御部は、呼出指示に基づき、表示装置３に、基準スケジュール変更画面を表示させる。基準スケジュール変更画面には、少なくとも、基準スケジュールを変更する対象とする、機器２のグループに関する情報を入力するための入力部と、変更後の基準スケジュールを入力するための入力部が含まれる。
基準スケジュール変更画面が表示されると、管理者は、例えば、入力装置を操作して、基準スケジュールを変更するグループに関する情報と、変更後の基準スケジュールを入力する。受付部１４は、管理者が入力した、基準スケジュールを変更するグループに関する情報と、変更後の基準スケジュールを受け付ける。
受付部１４は、受け付けた、基準スケジュールを変更するグループに関する情報と、変更後の基準スケジュールの情報を、変更反映部１５に出力する。
【００２３】
変更反映部１５は、受付部１４から出力された変更後の基準スケジュールを、スケジュール情報記憶部１３が記憶しているスケジュール情報に反映する。
具体的には、変更反映部１５は、スケジュール情報の基準スケジュールを、受付部１４から出力された変更後の基準スケジュールに更新する。このとき、変更反映部１５は、受付部１４から出力された、基準スケジュールを変更するグループに関する情報に基づき、管理者が指定したグループに対応付けられている基準スケジュールを更新するようにする。
このように、管理者は、適宜、スケジュール情報にて定義されている基準スケジュールの変更を行うことができる。
変更反映部１５によってスケジュール情報の基準スケジュールが更新されると、以降、運転スケジュール設定部１１は、更新後のスケジュール情報に基づいて、機器２の運転スケジュールの設定を行うことになる。
【００２４】
実施の形態１に係るビル管理装置１の動作について説明する。
図３は、実施の形態１に係るビル管理装置１の動作について説明するためのフローチャートである。以下、具体例を用いて、実施の形態１に係るビル管理装置１の動作について説明する。
なお、図３を用いた以下の動作説明において、当該図３の動作の開始時、スケジュール情報記憶部１３には、図２で示したようなスケジュール情報が記憶されているものとする。以下の動作説明では、ビル管理装置１は、ＸＸ株式会社における、照明５−１〜照明５−４、東側空調機、西側空調機、排気バルブ、および、セキュリティ装置から成る、関連する機器２のグループ（以下「第１関連グループ」とする。）の管理を行うものとする。
【００２５】
運転スケジュール設定部１１は、スケジュール情報記憶部１３に記憶されているスケジュール情報に基づき、機器２を稼働させる運転スケジュールを設定する（ステップＳＴ３０１）。
具体的には、運転スケジュール設定部１１は、照明５−１〜照明５−４について運転スケジュール「９：００〜１８：００」を設定し、東側空調機、西側空調機、および、排気バルブについて運転スケジュール「８：３０〜１７：４５」を設定し、セキュリティ装置について運転スケジュール「８：１５〜１８：４５」を設定する。
運転スケジュール設定部１１は、設定した運転スケジュールの情報を、運転制御部１２に出力する。
【００２６】
運転制御部１２は、ステップＳＴ３０１にて運転スケジュール設定部１１が設定した運転スケジュールに基づき、機器２の運転を制御する。すなわち、運転制御部１２は、運転スケジュール設定部１１が設定した運転スケジュールに従って、照明５−１〜照明５−４、東側空調機、西側空調機、排気バルブ、および、セキュリティ装置を稼働させる（ステップＳＴ３０２）。
【００２７】
受付部１４は、基準スケジュールの変更指示を受け付けたか否かを判定する（ステップＳＴ３０３）。
ステップＳＴ３０３において、受付部１４が、基準スケジュールの変更指示を受け付けていない場合（ステップＳＴ３０３の“ＮＯ”の場合）、ステップＳＴ３０２に戻り、以降の処理を繰り返す。
【００２８】
ステップＳＴ３０３において、受付部１４が、基準スケジュールの変更指示を受け付けた場合（ステップＳＴ３０３の“ＹＥＳ”の場合）、受付部１４は、受け付けた、変更後の基準スケジュールの情報を、変更反映部１５に出力する。
今、一例として、受付部１４は、管理者が入力した、第１関連グループの基準スケジュールを「８：００〜１９：００」とする変更指示を受け付けたとする。この場合、受付部１４は、第１関連グループの情報と、変更後の基準スケジュールである「８：００〜１９：００」の情報を、変更反映部１５に出力する。
【００２９】
変更反映部１５は、受付部１４から変更後の基準スケジュールが出力されると（ステップＳＴ３０３の“ＹＥＳ”の場合）、受付部１４から出力された、第１関連グループの変更後の基準スケジュールの情報を、スケジュール情報記憶部１３が記憶しているスケジュール情報に反映する（ステップＳＴ３０４）。
ここでは、変更反映部１５が、照明５−１〜照明５−４、東側空調機、西側空調機、排気バルブ、および、セキュリティ装置から成る第１関連グループの基準スケジュールとして定義されている基準スケジュールを、「９：００〜１８：００」から「８：００〜１９：００」に更新する（図４参照）。その後、ステップＳＴ３０１に戻る。
【００３０】
ステップＳＴ３０１に戻ると、運転スケジュール設定部１１は、スケジュール情報記憶部１３に記憶されているスケジュール情報に基づき、機器２を稼働させる運転スケジュールを設定する（ステップＳＴ３０１）。
このとき、スケジュール情報記憶部１３に記憶されているスケジュール情報は、図４に示すようなスケジュール情報に更新されている。従って、運転スケジュール設定部１１は、図４に示すようなスケジュール情報に基づき、機器２を稼働させる運転スケジュールを設定する。その結果、運転スケジュール設定部１１は、照明５−１〜照明５−４について運転スケジュール「８：００〜１９：００」を設定し、東側空調機、西側空調機、および、排気バルブについて運転スケジュール「７：３０〜１８：４５」を設定し、セキュリティ装置について運転スケジュール「７：１５〜１９：４５」を設定することになる。
【００３１】
そして、運転制御部１２は、運転スケジュール設定部１１が設定した運転スケジュールに従って、照明５−１〜照明５−４、東側空調機、西側空調機、排気バルブ、および、セキュリティ装置を稼働させる（ステップＳＴ３０２）。
【００３２】
このように、ビル管理装置１では、運転スケジュール設定部１１が、関連する複数の機器２単位で、基準スケジュールと、当該基準スケジュールに基づき稼働する複数の機器と、当該基準スケジュールに対する、複数の機器毎のオフセット時間とが対応付けられたスケジュール情報に基づき、基準スケジュールにオフセット時間を加算または減算することで、複数の機器毎の運転スケジュールを設定する。
基準スケジュールに対するオフセット時間が設定されていることで、関連する複数の機器２を異なる運転スケジュールで稼働させる必要がある場合も、当該関連する複数の機器２の運転スケジュールを一元管理することができる。
また、運転スケジュールを変更する際は、管理者は、基準スケジュールを変更するだけでよい。基準スケジュールが変更されることで、当該変更に追従して、関連する複数の機器２の運転スケジュールも変更される。そのため、管理者は、関連する複数の機器２の運転スケジュールを一元管理することができるとともに、運転スケジュールを変更するのに手間をかけずに済む。また、管理者が、複数の異なる運転スケジュールを、それぞれ変更しなければならないことによる、運転スケジュールの変更漏れも防ぐことができる。
【００３３】
以上の実施の形態１では、基準スケジュールは、例えば、「８：３０〜１８：００」というように、１日の中で、ある運転開始時刻からある運転停止時刻まで、連続して、ある機器２を運転させる期間（以下「稼働期間」という。）が１つのみ定義されたスケジュールであることを前提とした。
しかし、基準スケジュールは、稼働期間が１つのみ定義されたものに限らず、複数の稼働期間が定義されたものであってもよい。複数の稼働期間が定義された基準スケジュールに基づくと、１つの機器２に対して複数回、当該機器２の運転開始または運転停止が行われることになる。例えば、基準スケジュールは、１つ以上の運転開始時刻および１つ以上の運転停止時刻が定義されたものであってもよい。
【００３４】
しかしながら、１つの機器２に対して複数回、機器２の運転開始または運転停止が行われると、運転スケジュール設定部１１が機器２の運転スケジュールを設定する際、オフセット時間によっては、運転開始から運転停止までの一部または全部の期間が重複した複数の稼働期間が存在する運転スケジュールが設定され得る。
実施の形態１に係るビル管理装置１では、運転スケジュール設定部１１によって、運転開始から運転停止までの一部または全部の期間が重複した複数の稼働期間が存在する運転スケジュールが設定された場合、重複がないように調整して、機器２の運転スケジュールを再設定するようにすることもできる。
この場合、ビル管理装置１は、例えば、図５に示すような構成となる。
具体的には、運転スケジュール設定部１１が、判断部１１１を備える構成となる。その他の構成については、図１で説明したビル管理装置１の構成と同様であるため、同じ符号を付して重複した説明を省略する。
【００３５】
判断部１１１は、運転スケジュール設定部１１が設定した運転スケジュールに、重複する稼働期間が存在するか否かを判断する。
判断部１１１は、重複する稼働期間が存在すると判断した場合、運転スケジュール設定部１１が設定した運転スケジュールを再設定する。具体的には、判断部１１１は、運転スケジュール設定部１１が設定した運転スケジュールを、基準スケジュールに書き換える。
【００３６】
図６は、実施の形態１に係るビル管理装置１において、判断部１１１が、運転スケジュール設定部１１が設定した運転スケジュールを再設定するようにした動作を説明するためのフローチャートである。
以下、判断部１１１が、運転スケジュール設定部１１が設定した運転スケジュールを再設定する動作について、具体例を用いて説明する。
なお、図６において、ステップＳＴ３０１〜ステップＳＴ３０４の具体的な動作は、図３のステップＳＴ３０１〜ステップＳＴ３０４の具体的な動作と同様であり、説明済みであるため、重複した説明を省略する。図６で説明する動作では、図３で説明したステップＳＴ３０１の後に、ステップＳＴ６０５およびステップＳＴ６０６の動作が追加されている。
【００３７】
また、以下の動作説明では、例えば、スケジュール情報記憶部１３に記憶されているスケジュール情報が、図７のような内容であったとする。
この場合、ステップＳＴ３０１にて、運転スケジュール設定部１１は、照明５−１〜照明５−４については、「８：００  ＯＮ、１２：００  ＯＦＦ、１３：００  ＯＮ、１６：００  ＯＦＦ」という運転スケジュールを設定する。また、運転スケジュール設定部１１は、東側空調機、西側空調機、および、排気バルブについては、「７：３０  ＯＮ、１１：４５  ＯＦＦ、１２：３０  ＯＮ、１５：４５  ＯＦＦ」という運転スケジュールを設定する。また、運転スケジュール設定部１１は、セキュリティ装置については、「７：１５  ＯＮ、１２：４５  ＯＦＦ、１２：１５  ＯＮ、１６：４５  ＯＦＦ」という運転スケジュールを設定する。
【００３８】
運転スケジュール設定部１１の判断部１１１は、ステップＳＴ３０１にて運転スケジュール設定部１１が設定した運転スケジュールに、重複する稼働期間が存在するか否かを判断する（ステップＳＴ６０５）。
【００３９】
ステップＳＴ６０５において、判断部１１１が、重複する稼働期間が存在しないと判断した場合（ステップＳＴ６０５の“ＮＯ”の場合）、ステップＳＴ３０２に進む。
ステップＳＴ６０５において、判断部１１１が、重複する稼働期間が存在すると判断した場合（ステップＳＴ６０５の“ＹＥＳ”の場合）、ステップＳＴ６０６に進む。
なお、運転スケジュール設定部１１が複数の運転スケジュールを設定している場合、判断部１１１は、全ての運転スケジュールに対して、重複する稼働期間が存在するか否かを判断する。そして、判断部１１１は、複数の運転スケジュールのうち、１つでも重複する稼働期間が存在すると判断した場合、運転スケジュール設定部１１が設定した運転スケジュールに重複する稼働期間が存在すると判断し（ステップＳＴ６０５の“ＹＥＳ”の場合）、ステップＳＴ６０６に進む。
【００４０】
図８は、実施の形態１において、運転スケジュール設定部１１が、図７のようなスケジュール情報に基づき設定した、照明５−１〜照明５−４、東側空調機、西側空調機、排気バルブ、および、セキュリティ装置の運転スケジュールをイメージとして示す図である。なお、図８では、説明の簡単のため、照明５−１〜照明５−４をまとめて「照明」、東側空調機および西側空調機をまとめて「空調機」としている。
今、運転スケジュール設定部１１が、スケジュール情報のオフセット時間に基づいて運転スケジュールを設定すると、図８に示すように、セキュリティ装置の運転スケジュールにおいて、１２：１５〜１２：４５の間、２つの稼働期間が重複することになる。
【００４１】
従って、判断部１１１は、ステップＳＴ６０５において、重複する稼働期間が存在すると判断し、ステップＳＴ６０６に進む。
そして、判断部１１１は、ステップＳＴ６０５において、重複する稼働期間が存在すると判断した運転スケジュールが設定されている機器２について、運転スケジュールを再設定する（ステップＳＴ６０６）。具体的には、判断部１１１は、セキュリティ装置について、運転スケジュール設定部１１が設定した運転スケジュール（「７：１５  ＯＮ、１２：４５  ＯＦＦ、１２：１５  ＯＮ、１６：４５  ＯＦＦ」）を、基準スケジュール（「８：００  ＯＮ、１２：００  ＯＦＦ、１３：００  ＯＮ、１６：００  ＯＦＦ」）に書き換える。
【００４２】
これにより、セキュリティ装置において、重複期間が存在しない運転スケジュールが設定されることになる。
なお、判断部１１１は、ステップＳＴ６０５において、重複する稼働期間が存在しないと判断した、照明５−１〜照明５−４、東側空調機、西側空調機、および、排気バルブについては、運転スケジュールの再設定は行わない。
図９は、実施の形態１において、判断部１１１が、運転スケジュール設定部１１が図８のように設定した、照明５−１〜照明５−４、東側空調機、西側空調機、排気バルブ、および、セキュリティ装置の運転スケジュールのうち、重複期間が存在すると判断したセキュリティ装置の運転スケジュールについて、基準スケジュールに書き換えることで再設定を行ったイメージを示す図である。なお、図９でも、図８同様、説明の簡単のため、照明５−１〜照明５−４をまとめて「照明」、東側空調機および西側空調機をまとめて「空調機」としている。
【００４３】
判断部１１１が、セキュリティ装置の運転スケジュールを再設定したことで、照明５−１〜照明５−４、東側空調機、西側空調機、排気バルブ、および、セキュリティ装置のいずれの運転スケジュールも、重複期間が存在しない運転スケジュールとなる。
【００４４】
このように、重複期間が存在しない運転スケジュールとすることで、機器２に対して、無駄な制御を行うことを防ぐことができる。上述の例でいうと、セキュリティ装置において、運転スケジュールに重複期間が存在した場合（図８参照）、１２：１５に運転開始させる制御と、１２：４５に運転停止させる制御は不要である。重複期間が存在しない運転スケジュールとすることで（図９参照）、このような不要な制御を行わなくて済む。
【００４５】
以上の説明では、判断部１１１は、運転スケジュール設定部１１が設定した運転スケジュールに、重複する稼働期間が存在すると判断した場合、当該運転スケジュールを基準スケジュールに書き換え、オフセット時間を反映しないものとすることで、運転スケジュールが重複しないように調整し、運転スケジュールの再設定を行うようにした。
これは一例に過ぎず、判断部１１１は、適宜の方法で、運転スケジュールの再設定を行うことができる。
【００４６】
例えば、図８で示したように、セキュリティ装置において、運転スケジュール設定部１１が設定した運転スケジュールに重複する稼働期間が存在する場合、判断部１１１は、重複期間を有する２つの運転スケジュールを、連続した１つの運転スケジュールとして、運転スケジュールを再設定するようにしてもよい。具体的には、図８で示した例の場合、判断部１１１は、セキュリティ装置の運転スケジュールを、「７：１５〜１６：４５」の連続した１つの稼働期間を有する運転スケジュールに再設定するようにしてもよい。
【００４７】
また、例えば、運転スケジュール設定部１１が設定した運転スケジュールに重複する稼働期間が存在すると判断した場合、判断部１１１は、運転スケジュールに重複する稼働期間が存在する旨を管理者に通知し、管理者から受け付けた、運転スケジュールの設定指示に従い、運転スケジュールの再設定をするようにしてもよい。
具体的には、運転スケジュールに重複する稼働期間が存在すると判断した場合、判断部１１１は、例えば、表示制御部に、稼働期間重複情報を出力する。稼働期間重複情報には、少なくとも、判断部１１１が重複する稼働期間が存在すると判断した機器２の情報と、運転スケジュール設定部１１が設定した、重複する稼働期間が存在する運転スケジュールの情報が含まれる。
表示制御部は、稼働期間重複情報を、表示装置３に表示させる。表示制御部は、管理者が、重複する稼働期間が存在する機器２と、当該機器２に設定されている、重複する稼働期間が存在する運転スケジュールとを把握できるような表示態様で、稼働期間重複情報を表示させるようになっていればよい。
管理者は、表示装置３に表示された稼働期間重複情報を確認し、適宜、入力装置を操作して、運転スケジュールの設定指示を入力する。
上述の、図８で示した例でいうと、例えば、管理者は、セキュリティ装置について、１２：１５〜１２：４５までの重複した稼働期間をなくすべく、「７：１５〜１６：４５」をセキュリティ装置の運転スケジュールに設定する旨の設定指示を入力する。
受付部１４は、管理者が入力した設定指示を受け付け、判断部１１１に受け付けた設定指示を出力する。
判断部１１１は、設定指示に従い、セキュリティ装置の運転スケジュールを、「７：１５〜１６：４５」に再設定する。
【００４８】
なお、以上の実施の形態１では、ビル管理装置１が設定する機器２の運転スケジュールは日毎の運転スケジュールとしたが、これは一例に過ぎない。
例えば、ビル管理装置１が設定する機器２の運転スケジュールは、月毎の運転スケジュールとしてもよいし、年間の運転スケジュールとしてもよく、ビル管理装置１は、適宜設定された期間における、機器２の運転スケジュールを設定することができる。
【００４９】
また、以上の実施の形態１では、受付部１４は、スケジュール情報にて定義されている基準スケジュールの変更指示を受け付けるものとしたが、これに限らず、受付部１４は、スケジュール情報にて定義されているオフセット時間の変更指示を受け付けるようにすることもできる。
管理者は、例えば、マウスまたはキーボード等の入力装置を操作して、オフセット時間変更画面の呼出指示を入力する。受付部１４は、当該呼出指示を受け付けると、表示制御部に当該呼出指示を出力する。表示制御部は、呼出指示に基づき、表示装置３に、オフセット時間変更画面を表示させる。オフセット時間変更画面には、少なくとも、オフセット時間を変更する対象とする、機器２のグループおよび機器２に関する情報を入力するための入力部と、変更後のオフセット時間を入力するための入力部とが含まれる。なお、変更後のオフセット時間を入力するための入力部には、変更後の起動オフセット時間を入力するための入力部と、変更後の停止オフセット時間を入力するための入力部が含まれる。管理者は、起動オフセット時間または停止オフセット時間を変更することができる。管理者は、起動オフセット時間および停止オフセット時間の両方を変更するようにしてもよい。
オフセット変更画面が表示されると、管理者は、例えば、入力装置を操作して、オフセット時間を変更するグループおよび機器２に関する情報と、変更後のオフセット時間を入力する。受付部１４は、管理者が入力した、オフセット時間を変更するグループおよび機器２に関する情報と、変更後のオフセット時間を受け付ける。
受付部１４は、受け付けた、オフセット時間を変更するグループおよび機器２に関する情報と、変更後のオフセット時間の情報を、変更反映部１５に出力する。
【００５０】
変更反映部１５は、受付部１４から出力された変更後のオフセット時間を、スケジュール情報記憶部１３が記憶しているスケジュール情報に反映する。
具体的には、変更反映部１５は、スケジュール情報のオフセット時間を、受付部１４から出力された変更後のオフセット時間に更新する。このとき、変更反映部１５は、受付部１４から出力された、基準スケジュールを変更するグループおよび機器２に関する情報に基づき、管理者が指定したグループの、管理者が指定した機器２に対応付けられているオフセット時間を更新するようにする。
このように、管理者は、適宜、スケジュール情報にて定義されているオフセット時間の変更を行うようにすることもできる。
変更反映部１５によってスケジュール情報のオフセット時間が更新されると、以降、運転スケジュール設定部１１は、更新後のスケジュール情報に基づいて、機器２の運転スケジュールの設定を行うことになる。
また、管理者は、スケジュール情報にて定義されている基準スケジュールおよびオフセット時間の両方を変更するようにしてもよい。この場合、受付部１４は、基準スケジュールおよびオフセット時間の変更指示を受け付ける。受付部１４が基準スケジュールおよびオフセット時間の変更指示を受け付ける具体的な方法例は、上述した、基準スケジュールまたはオフセット時間の変更指示を受け付ける具体的な方法例と同様であるため、重複した説明を省略する。
【００５１】
以上のように、実施の形態１によれば、ビル管理装置１は、関連する複数の機器２単位で、基準スケジュールと、当該基準スケジュールに基づき稼働する複数の機器２と、当該基準スケジュールに対する、複数の機器２毎のオフセット時間とが対応付けられたスケジュール情報に基づき、基準スケジュールにオフセット時間を加算または減算することで、複数の機器２毎の運転スケジュールを設定する運転スケジュール設定部１１と、運転スケジュール設定部１１が設定した運転スケジュールに基づき、複数の機器２の運転を制御する運転制御部１２と、スケジュール情報の変更指示を受け付ける受付部１４と、受付部１４が変更指示を受け付けた場合、当該変更指示に基づき、スケジュール情報を変更する変更反映部１５とを備えるように構成した。そのため、ビル内に設置された複数の機器２のうち、互いに関連し、異なる運転スケジュールで稼働する複数の機器２についての運転スケジュールを一元管理することができる。また、互いに関連し、異なる運転スケジュールで稼働する複数の機器２のうち、ある機器２の運転スケジュールに変更が発生した場合には、当該変更に追従して、関連するその他の機器２の運転スケジュールの変更も行うことができる。
【００５２】
なお、本願発明はその発明の範囲内において、実施の形態の任意の構成要素の変形、もしくは実施の形態の任意の構成要素の省略が可能である。
【符号の説明】
【００５３】
１  ビル管理装置
２  機器
３  表示装置
１１  運転スケジュール設定部
１２  運転制御部
１３  スケジュール情報記憶部
１４  受付部
１５  変更反映部
１１１  判断部
【図１】
2020071762.tif 000003
【図２】
2020071762.tif 000004
【図３】
2020071762.tif 000005
【図４】
2020071762.tif 000006
【図５】
2020071762.tif 000007
【図６】
2020071762.tif 000008
【図７】
2020071762.tif 000009
【図８】
2020071762.tif 000010
【図９】
2020071762.tif 000011